(57)【特許請求の範囲】
【請求項１】
配列基板と、
前記配列基板上に配置されたＯＬＥＤ層と、
前記配列基板及び前記ＯＬＥＤ層の間に配置された指紋収集ユニットの配列と、
前記指紋収集ユニットの配列に接続された制御回路と、
を備え、
前記配列基板はｍ×ｎ個の画素ユニットを備え、各画素ユニットはＫ個の画素サブユニットを備え、
前記画素サブユニットは、薄膜トランジスタ（ＴＦＴ）領域と非ＴＦＴ領域とを備え、
前記指紋収集ユニットの配列はａ×ｂ個の指紋収集ユニットを備え、各指紋収集ユニットは一対一に１個の前記画素サブユニットに対応し、前記指紋収集ユニットが存在する位置は、対応する画素サブユニットの領域の薄膜トランジスタ（ＴＦＴ）領域の上に配置され、
ａ≦Ｋ×ｍかつｂ≦ｎである
ことを特徴とするＯＬＥＤパネル。
【請求項２】
配列基板と、
前記配列基板上に配置されたＯＬＥＤ層と、
前記配列基板の中に配置された指紋収集ユニットの配列と、
前記指紋収集ユニットの配列に接続された制御回路と、
を備え、
前記配列基板はｍ×ｎ個の画素ユニットを備え、各画素ユニットはＫ個の画素サブユニットを備え、
前記画素サブユニットは、薄膜トランジスタ（ＴＦＴ）領域と非ＴＦＴ領域とを備え、
前記指紋収集ユニットの配列はａ×ｂ個の指紋収集ユニットを備え、各指紋収集ユニットは一対一に１個の前記画素サブユニットに対応し、前記指紋収集ユニットが存在する位置は、対応する画素サブユニットの領域の薄膜トランジスタ（ＴＦＴ）領域の上に配置され、
ａ≦Ｋ×ｍかつｂ≦ｎである
ことを特徴とするＯＬＥＤパネル。
【請求項３】
前記指紋収集ユニットの配列の前記指紋収集ユニットは、一対一に前記配列基板の前記画素サブユニットに対応し、ａ＝Ｋ×ｍかつｂ＝ｎである、又は、
前記指紋収集ユニットの配列は、前記配列基板の部分領域に配置され、前記指紋収集ユニットの配列の前記指紋収集ユニットは、一対一に前記部分領域の前記画素サブユニットに対応し、ａ＜Ｋ×ｍかつｂ＜ｎであるかａ＜Ｋ×ｍかつｂ＝ｎであるかａ＝Ｋ×ｍかつｂ＜ｎである
ことを特徴とする請求項１又は２に記載のＯＬＥＤパネル。
【請求項４】
前記制御回路は、ａ列の複数のデータ線とｂ行の複数の制御線とを備え、
前記複数の制御線の各行は、それぞれａ個のスイッチを介してａ列の前記複数のデータ線と接続されており、
各スイッチの制御端子は対応する制御線に接続され、各スイッチの第１の接続端子は対応する指紋収集ユニットに接続され、各スイッチの第２の接続端子は対応するデータ線に接続されている
ことを特徴とする請求項１乃至３のいずれか１項に記載のＯＬＥＤパネル。
【請求項５】
請求項１乃至請求項４のいずれか１項に記載の有機発光ディスプレイ（ＯＬＥＤ）パネルを備える端末。
【請求項６】
前記ＯＬＥＤパネルは、請求項５に記載のＯＬＥＤパネルであり、
前記端末は、さらに、各データ線と各制御線に接続された指紋収集制御部を備えることを特徴とする請求項５に記載の端末。
【請求項７】
請求項４に記載の有機発光ディスプレイ（ＯＬＥＤ）パネルに接続された指紋収集制御部において使用するための認識制御方法であって、
ｉ行の指紋収集ユニットを制御してデータ線と通信するために、ｉ行の制御線へ許可信号を送信するステップと、
前記データ線を介してｉ行の前記指紋収集ユニットにより収集された指紋信号を得るステップと、
ｉがｂより小さい場合、ｉ＝ｉ＋１に設定し、ｉ行の前記制御線へ前記許可信号を再送するステップと、
ｉがｂに等しい場合、ｉ＝１に設定し、ｉ行の前記制御線へ前記許可信号を再送するステップと、
を含むことを特徴とする認識制御方法。
【請求項８】
ｉ行の前記制御線へ前記許可信号を送信するステップは、
所定の時間間隔でｉ行の前記制御線へ前記許可信号を送信するステップを含み、
前記所定の時間間隔は、
前記ＯＬＥＤパネルがｉ番目のフレームの表示内容を表示するためにリフレッシュする時の第１時刻と、前記ＯＬＥＤパネルがｉ＋１番目のフレームの表示内容を表示するためにリフレッシュする時の第２時刻との間の時間間隔であって、ｉは正整数であるもの、又は、
前記ＯＬＥＤパネルがｉ行の表示内容を表示するためにリフレッシュする時の第３時刻と、前記ＯＬＥＤパネルがｉ＋１行の表示内容を表示するためにリフレッシュする時の第４時刻との間の時間間隔であって、ｉは正整数であるもの、又は、
前記ＯＬＥＤパネルがｉ番目のグループの表示内容を表示するためにリフレッシュする時の第５時刻と、前記ＯＬＥＤパネルがｉ＋１番目のグループの表示内容を表示するためにリフレッシュする時の第６時刻との間の時間間隔であって、各グループの表示内容は連続するＬ行の表示内容を含み、ｉは正整数であり、Ｌは所定の合計の行数であるもの
を含むことを特徴とする請求項７に記載の認識制御方法。
【発明の詳細な説明】
【技術分野】
【０００１】
［関連出願への相互参照］
本出願は、２０１５年１１月１３日に中国国家知識産権局に出願された中国特許出願Ｎｏ．２０１５１０７８１２５１．２に基づくとともに当該出願への優先権を主張し、その全体の内容が参照によってここに取り込まれる。
【０００２】
［技術分野］
本発明は、ディスプレイ技術の分野に関連し、具体的には、有機発光ディスプレイ（ＯＬＥＤ）パネル、端末、及び認識制御方法に関係する。
【背景技術】
【０００３】
指紋認識モジュールは、モバイル端末においてありふれた構成要素である。指紋認識モジュールは、指紋画像を収集するために利用される。
【０００４】
関連技術においては、指紋認識モジュールは、一般にモバイル端末の物理的なボタンの中に配置される。例えば、指紋認識モジュールは、ホームボタンとして知られ、モバイル端末の前面に配置される物理的なボタンの中に配置される。別の例では、指紋認識モジュールは、電源をオンにしたりオフにしたりすることに利用され、モバイル端末の側面に配置される物理的なボタンの中に配置される。
【発明の概要】
【発明が解決しようとする課題】
【０００５】
指紋認識モジュールを分離されていない形態でモバイル端末の内側に配置するために、本発明は、実施形態において、有機発光ディスプレイ（ＯＬＥＤ）パネル、端末、及び認識制御装置を提供する。技術的な解決手段は、以下に示すものである。
【課題を解決するための手段】
【０００６】
本発明の実施形態の第１の側面によると、配列基板と、前記配列基板上に配置されたＯＬＥＤ層と、前記配列基板及び前記ＯＬＥＤ層の間に配置された指紋収集ユニットの配列と、前記指紋収集ユニットの配列に接続された制御回路と、を備え、前記配列基板はｍ×ｎ個の画素ユニットを備え、各画素ユニットはＫ個の画素サブユニットを備え、前記画素サブユニットは、薄膜トランジスタ（ＴＦＴ）領域と非ＴＦＴ領域とを備え、前記指紋収集ユニットの配列はａ×ｂ個の指紋収集ユニットを備え、各指紋収集ユニットは一対一に１個の前記画素サブユニットに対応し、前記指紋収集ユニットが存在する位置は、対応する画素サブユニットの領域の薄膜トランジスタ（ＴＦＴ）領域の上に配置され、ａ≦Ｋ×ｍかつｂ≦ｎであることを特徴とするＯＬＥＤパネルが提供される。
【０００７】
代替的に、配列基板と、前記配列基板上に配置されたＯＬＥＤ層と、前記配列基板の中に配置された指紋収集ユニットの配列と、前記指紋収集ユニットの配列に接続された制御回路と、を備え、前記配列基板はｍ×ｎ個の画素ユニットを備え、各画素ユニットはＫ個の画素サブユニットを備え、前記画素サブユニットは、薄膜トランジスタ（ＴＦＴ）領域と非ＴＦＴ領域とを備え、前記指紋収集ユニットの配列はａ×ｂ個の指紋収集ユニットを備え、各指紋収集ユニットは一対一に１個の前記画素サブユニットに対応し、前記指紋収集ユニットが存在する位置は、対応する画素サブユニットの領域の薄膜トランジスタ（ＴＦＴ）領域の上に配置され、ａ≦Ｋ×ｍかつｂ≦ｎであることを特徴とするＯＬＥＤパネルである。
【０００８】
代替的に、前記指紋収集ユニットの配列の前記指紋収集ユニットは、一対一に前記配列基板の前記画素サブユニットに対応し、ａ＝Ｋ×ｍかつｂ＝ｎである、又は、前記指紋収集ユニットの配列は、前記配列基板の部分領域に配置され、前記指紋収集ユニットの配列の前記指紋収集ユニットは、一対一に前記部分領域の前記画素サブユニットに対応し、ａ＜Ｋ×ｍかつｂ＜ｎであるかａ＜Ｋ×ｍかつｂ＝ｎであるかａ＝Ｋ×ｍかつｂ＜ｎである。
【００１１】
代替的に、前記制御回路は、a列の複数のデータ線とｂ行の複数の制御線とを備え、前記複数の制御線の各行は、それぞれａ個のスイッチを介してａ列の前記複数のデータ線と接続されており、各スイッチの制御端子は対応する制御線に接続され、各スイッチの第１の接続端子は対応する指紋収集ユニットに接続され、各スイッチの第２の接続端子は対応するデータ線に接続されている。
【００１２】
本発明の実施形態の第２の側面によると、本発明の実施形態の第１の側面に係る有機発光ディスプレイ（ＯＬＥＤ）パネルを備える端末が提供される。
【００１３】
代替的に、前記端末は、さらに、各データ線と各制御線に接続された指紋収集制御部を備える。
【００１４】
本発明の実施形態の第３の側面によると、本発明の実施形態の第１の側面に係る有機発光ディスプレイ（ＯＬＥＤ）パネルに接続された指紋収集制御部において使用される認識制御方法であって、ｉ行の指紋収集ユニットを制御してデータ線と通信するために、ｉ行の制御線へ許可信号を送信するステップと、前記データ線を介してｉ行の前記指紋収集ユニットにより収集された指紋信号を得るステップと、ｉがｂより小さい場合、ｉ＝ｉ＋１に設定し、ｉ行の前記制御線へ前記許可信号を再送するステップと、ｉがｂに等しい場合、ｉ＝１に設定し、ｉ行の前記制御線へ前記許可信号を再送するステップと、を含むことを特徴とする認識制御方法が提供される。
【００１５】
代替的に、ｉ行の前記制御線へ前記許可信号を送信するステップは、所定の時間間隔でｉ行の前記制御線へ前記許可信号を送信するステップを含み、前記所定の時間間隔は、前記ＯＬＥＤパネルがi番目のフレームの表示内容を表示するためにリフレッシュする時の第１時刻と、前記ＯＬＥＤパネルがi＋１番目のフレームの表示内容を表示するためにリフレッシュする時の第２時刻との間の時間間隔であって、ｉは正整数であるもの、又は、前記ＯＬＥＤパネルがｉ行の表示内容を表示するためにリフレッシュする時の第３時刻と、前記ＯＬＥＤパネルがi＋１行の表示内容を表示するためにリフレッシュする時の第４時刻との間の時間間隔であって、ｉは正整数であるもの、又は、前記ＯＬＥＤパネルがｉ番目のグループの表示内容を表示するためにリフレッシュする時の第５時刻と、前記ＯＬＥＤパネルがi＋１番目のグループの表示内容を表示するためにリフレッシュする時の第６時刻との間の時間間隔であって、各グループの表示内容は連続するＬ行の表示内容を含み、ｉは正整数であり、Ｌは所定の合計の行数であるものを含む。
【発明の効果】
【００１６】
本発明の実施形態によると、指紋認識モジュールの配列は、ＯＬＥＤパネルの配列基板の中に、又は、配列基板及びＯＬＥＤ層の間に配置されており、モバイル端末において分離されていない形態で指紋認識モジュールを配置することとなり、したがって、指紋認識機能は、ＯＬＥＤパネルの中に統合されている。その結果、単にＯＬＥＤパネルを提供されているとしても、端末は、画像を表示し、同時に指紋を認識し、それによって、端末における全体の一貫性及び美観を高め改善する。
【００１７】
前述の一般的な記述と次に続く詳細な記述の両方は、例示ためだけのものであり、請求項に係る発明を限定するものではないと理解されるべきである。
【図面の簡単な説明】
【００１８】
本明細書に取り入れられその一部を構成する添付図面は、本発明と整合する実施形態を例示し、詳細な説明とともに本発明の原理を説明するのに役立つものである。
【００１９】
【図１】図１は、関連技術におけるＯＬＥＤパネルを示す構成図である。
【００２０】
【図２】配列基板の画素ユニットの配置を示す構成図である。
【００２１】
【図３Ａ】本発明の実例となる実施形態に係るＯＬＥＤパネルを示す構成図である。
【００２２】
【図３Ｂ】本発明の別の実例となる実施形態に係るＯＬＥＤパネルを示す構成図である。
【００２３】
【図４Ａ】本発明の実例となる実施形態に係る指紋収集ユニットが配置される位置を示す構成図である。
【００２４】
【図４Ｂ】本発明の実例となる実施形態に係る指紋収集ユニットが配置される位置を示す構成図である。
【００２５】
【図４Ｃ】本発明の実例となる実施形態に係る指紋収集ユニットが配置される位置を示す構成図である。
【００２６】
【図４Ｄ】本発明の別の実例となる実施形態に係る指紋収集ユニットが配置される位置を示す構成図である。
【００２７】
【図５】本発明の実例となる実施形態に係る制御回路を示す構成図である。
【００２８】
【図６】本発明の実例となる実施形態に係る端末を示すブロック図である。
【００２９】
【図７】本発明の実例となる実施形態に係る認識制御方法を示すフローチャートである。
【００３０】
【図８】本発明の実例となる実施形態に係る認識制御方法を示すフローチャートである。
【発明を実施するための形態】
【００３１】
例となる実施形態や添付図面において図示される例へ詳細に言及を行う。以下の記述では添付図面へ言及する。添付図面において、異なる図面の同一の符号は、他に示されなければ、同一の又は類似する構成要素を示す。例となる実施形態の以下の記述において明らかにされる実装は、本発明と整合する全ての実装を表すものではない。そうではなく、それらは、添付の特許請求の範囲に列挙される本発明に関連する観点と整合する装置及び方法の単なる例示にすぎない。
【００３２】
本発明の実施形態を紹介し記述する前に、まず、有機発光ディスプレイ（ＯＬＥＤ）パネルを簡単に記述する。図１は、関連技術におけるＯＬＥＤパネルを示す構成図である。
【００３３】
図１に示すように、ＯＬＥＤパネルは、配列基板１１０と、ＯＬＥＤ層１２０と、ガラス基板１３０と、偏光板１４０とを含む。
【００３４】
ＯＬＥＤ層１２０は配列基板１１０上に配置され、ガラス基板１３０はＯＬＥＤ層上に配置され、偏光板１４０はガラス基板１３０上に配置される。
【００３５】
ＯＬＥＤ層１２０は、ｍ×ｎ個の画素ユニットを含む。各画素ユニットは、Ｋ個の画素サブユニットを含む。一般に、ＯＬＥＤ層１２０の各画素ユニットは、３つの画素サブユニットを含み、それらは、赤（Ｒ）画素サブユニット、緑（Ｇ）画素サブユニット、青（Ｂ）画素サブユニットである。ある実施形態においては、各画素ユニットが４個の画素サブユニットを含み、それらは、赤（Ｒ）画素サブユニット、緑（Ｇ）画素サブユニット、青（Ｂ）画素サブユニット、白（Ｗ）画素サブユニットである。すなわち、Ｋの数は３か４である。
【００３６】
同様に、ＯＬＥＤ層１２０のｍ×ｎ個の画素ユニットに対応して、配列基板１１０もｍ×ｎ個の画素ユニットを含む。配列基板１１０の各画素ユニットは、３か４であるようなＫ個の画素サブユニットを含む。
【００３７】
図２は、配列基板１１０の画素ユニットの配置を示す構成図である。図２に示したように、配列基板１１０は、４×４個の画素ユニットすなわち１６個の画素ユニットを含み、各画素ユニットは、３個の画素サブユニット２０を含む。各画素サブユニットは、薄膜トランジスタ（ＴＦＴ）領域２２と非ＴＦＴ領域２４を含む。
【００３８】
図２は、単に、配列基板１１０の部分的な領域を示しているだけであることに気付くべきである。すなわち、配列基板１１０は、図２に示した複数の領域から構成されるだろう。図２に示した配置は、単に例示と説明のためであり、他の配置は、本発明の実施形態では定義されないだけである。
【００３９】
偏光板１４０は、ガラス基板１３０に取り付けられる。
【００４０】
配列基板１１０は、ＯＬＥＤ層１２０の電場を与え、その下で、有機半導体材料や発光材料は、発光するよう作動させられる。その結果、発光された光は、ガラス基板１３０と偏光板１４０を下から上へ連続的に通過して、それによって像を表示する。
【００４１】
図３Ａは、本発明の実例となる実施形態に係るＯＬＥＤパネルを示す構成図である。ＯＬＥＤパネルは、例えば、携帯電話、タブレットコンピュータやラップトップコンピュータのような電気装置に使われる。図３Ａに示すように、ＯＬＥＤパネルは以下のものを備える。
配列基板３１０Ａ、
配列基板３１０Ａ上に配置されたＯＬＥＤ層３２０Ａ、
配列基板３１０Ａの中に配置された指紋収集ユニットの配列３３０Ａ、
指紋収集ユニットの配列３３０Ａに接続された制御回路（不図示）。
【００４２】
代替的に、図１に示したように、ガラス基板と偏光板（不図示）がＯＬＥＤ層３２０Ａ上に連続的に配置されてもよい。
【００４３】
とりわけ、本発明の実施形態に係るＯＬＥＤパネルによると、指紋収集ユニットの配列３３０Ａは、ＯＬＥＤパネルの配列基板３１０Ａの中に配置されており、分離されていない形態で端末の内部に指紋認識モジュールを配置することとなり、したがって、指紋認識機能は、ＯＬＥＤパネルの中に統合されている。その結果、単にＯＬＥＤパネルを提供されているとしても、端末は、表示機能と指紋認識機能を同時に有するであろう。それによって、端末における全体の一貫性及び美観を改善する。
【００４４】
図３Ｂは、本発明の別の実例となる実施形態に係るＯＬＥＤパネルを示す構成図である。ＯＬＥＤパネルは、例えば、携帯電話、タブレットコンピュータやラップトップコンピュータのような電気装置に使われる。図３Ｂに示すように、ＯＬＥＤパネルは以下のものを備える。
配列基板３１０Ｂ、
配列基板３１０Ｂ上に配置されたＯＬＥＤ層３２０Ｂ、
配列基板３１０ＢとＯＬＥＤ層３２０Ｂの間に配置された指紋収集ユニットの配列３３０Ｂ、
指紋収集ユニットの配列３３０Ｂに接続された制御回路（不図示）。
【００４５】
代替的に、ガラス基板３４０Ｂと偏光板３５０ＢがＯＬＥＤ層３２０Ｂ上に連続的に配置されてもよい。
【００４６】
とりわけ、本発明の実施形態に係るＯＬＥＤパネルによると、指紋収集ユニットの配列３３０Ｂは、配列基板３１０ＢとＯＬＥＤ層３２０Ｂの間に配置されており、分離されていない形態で端末の内部に指紋認識モジュールを配置することとなり、したがって、指紋認識機能は、ＯＬＥＤパネルの中に統合されている。その結果、単にＯＬＥＤパネルを提供されているとしても、端末のパネルは、表示機能と指紋認識機能を同時に有するであろう。それによって、端末における全体の一貫性及び美観を改善する。
図３Ａで示される実施形態により提供される別の実施形態においては、指紋収集ユニットの配列３３０Ａは、ａ×ｂ個の指紋収集ユニットを含む。各指紋収集ユニットは、配列基板３１０Ａの１個の画素サブユニットに対応し、ａ≦Ｋ×ｍかつｂ≦ｎである。ＯＬＥＤパネルの正面図では、各指紋収集ユニットは、１個の画素サブユニットにより占められる領域より小さい横断面の領域である。指紋を収集する間に、各指紋収集ユニットは、１個の画素サブユニットに対する指紋画像を収集するために用いられる。
【００４７】
指紋収集ユニットの数には、以下の２つの場合がある。
【００４８】
１．指紋収集ユニットの数は、配列基板の画素サブユニットの数に等しい、すなわち、ａ＝Ｋ×ｍかつｂ＝ｎである。
【００４９】
２．指紋収集ユニットの数は、配列基板の画素サブユニットの数より少ない、すなわち、ａ＜Ｋ×ｍかつｂ＜ｎ、又は、ａ＜Ｋ×ｍかつｂ＝ｎ、又は、ａ＝Ｋ×ｍかつｂ＜ｎである。
【００５０】
指紋収集ユニットの異なる数に対応して、指紋収集ユニットがどこに配置されるかという実例として示す位置には、以下のいくつかの場合がある。
【００５１】
１．指紋収集ユニットの配列における指紋収集ユニットは、一対一に配列基板の画素サブユニットと対応する。そこにおいて、ａ＝Ｋ×ｍかつｂ＝ｎ、すなわち、各画素サブユニットは、１つの指紋収集ユニットと対応する。
【００５２】
代替的に、少なくとも１つの指紋収集ユニットが存在する位置は、対応する画素サブユニットにおける非ＴＦＴ領域に配置される。
【００５３】
一般的には、指紋収集ユニットとそれに接続される回路のサイズの観点において、指紋収集ユニットが存在する位置は、対応する画素サブユニットにおける非ＴＦＴ領域に配置される。しかし、ある実施形態においては、指紋収集ユニットが存在する位置は、対応する画素サブユニットにおけるＴＦＴ領域に配置される。
【００５４】
図４Ａに示すように、配列基板に配置された指紋収集ユニットの配列を例にとると、配列基板は、２×４個の画素ユニット３１を含む、すなわち、２４（８×３）個の画素サブユニットを含む。配列基板は、さらに、６×４個の指紋収集ユニット３３を含む、すなわち、２４個の指紋収集ユニット３３を含む。各画素サブユニット３１の非ＴＦＴ領域は、１個の対応する指紋収集ユニット３３を提供される。
【００５５】
２．指紋収集ユニットの配列は、配列基板の部分領域に配置されて、指紋収集ユニットの配列の中の指紋収集ユニットは、一対一に部分領域の画素サブユニットに対応する。そこにおいて、ａ＜Ｋ×ｍかつｂ＜ｎ、又は、ａ＜Ｋ×ｍかつｂ＝ｎ、又は、ａ＝Ｋ×ｍかつｂ＜ｎ、すなわち、配列基板の部分領域における各画素サブユニットは、１個の指紋収集ユニットに対応する。
【００５６】
代替的に、少なくとも１つの指紋収集ユニットが存在する位置は、対応する画素サブユニットにおける非ＴＦＴ領域に配置される。
【００５７】
図４Ｂに示すように、配列基板に配置された指紋収集ユニットの配列を例にとると、配列基板は、２×４個の画素ユニットを含む、すなわち、２４（８×３）個の画素サブユニットを含む。配列基板は、さらに、９（３×３）個の指紋収集ユニットを含む。部分領域に配置された９個の画素サブユニットに対して、各画素サブユニットは、１個の対応する指紋収集ユニット３３を提供される。
【００５８】
３．配列基板の全体領域が、配列基板のいくつかの画素サブユニットに対応する指紋収集ユニットを提供される。指紋収集ユニットは、分かれて配置され、そこにおいて、ａ＜Ｋ×ｍかつｂ＜ｎ、又は、ａ＜Ｋ×ｍかつｂ＝ｎ、又は、ａ＝Ｋ×ｍかつｂ＜ｎである。
【００５９】
代替的に、少なくとも１個の指紋収集ユニットが存在する位置は、対応する画素サブユニットにおける非ＴＦＴ領域に配置される。
【００６０】
指紋収集ユニットは、配列基板のいくつかの画素サブユニットに対応する。すなわち、指紋収集ユニットは、配列基板の全体領域に均等に分散配置される。しかしながら、いくつかの画素サブユニットは、１個の指紋収集ユニットにより提供される一方、他の画素サブユニットは、指紋収集ユニットにより提供されない。
【００６１】
図４Ｃに示すように、配列基板に配置された指紋収集ユニットの配列を例にとると、配列基板は、１２（３×４）個の画素ユニット３１を含む、すなわち、３６（１２×３）個の画素サブユニットを含む。配列基板は、さらに、３×４個の指紋収集ユニット３３を含む、すなわち、１２個の指紋収集ユニット３３を含む。
配列基板の最初の行を例にとると、左から右側へ、第１の画素ユニットの第１の画素サブユニット３５は、１個の指紋収集ユニット３３が提供され、第２の画素ユニットの第２の画素サブユニット３６は、１個の指紋収集ユニット３３が提供され、第３の画素ユニットの第３の画素サブユニット３７は、１個の指紋収集ユニット３３が提供される。
【００６２】
代替的に、指紋収集ユニットの配列は、さらに、配列基板とＯＬＥＤ層の間に配置されてもよい。指紋収集ユニットが存在する位置は、対応する画素サブユニットの上に配置される。
【００６３】
指紋収集ユニットの配列が配列基板とＯＬＥＤ層の間に配置される場合において、指紋収集ユニットが存在する位置は、対応する画素サブユニットの上に配置される。すなわち、指紋収集ユニットが存在する位置は、対応する画素サブユニットのＴＦＴ領域の上、又は、対応する画素サブユニットの非ＴＦＴ領域の上に配置される。
【００６４】
図４Ｄに示すように、配列基板とＯＬＥＤ層の間に配置された指紋収集ユニットの配列を例にとると、いくつかの指紋収集ユニット３３は、対応する画素サブユニットのＴＦＴ領域３２の上に配置され、かつ、他の指紋収集ユニット３３は、対応する画素サブユニットの非ＴＦＴ領域３４の上に配置される。
【００６５】
図４Ａ−４Ｄは、指紋収集ユニットが配置されるいくつかの位置を示す単なるいくつかの例にすぎず、上述した場合の組み合わせに基づいて、指紋収集ユニットが配置される他の位置を得ることは、技術分野の当業者にとって明らかであり、他の可能な位置のアレンジは、本発明の実施形態によってこの中に限定されるものではない。
【００６６】
図５は、指紋収集ユニットの配列に接続された制御回路を示す構成図である。制御回路は、ａ本の列の複数のデータ線４１と、ｂ本の行の複数の制御線４２を含む。
【００６７】
複数の制御線４２の各行は、それぞれａ個のスイッチ４５を介して、ａ本の列の複数のデータ線４１と接続されている。各スイッチ４５は、制御線４２に接続される制御端子４６と、対応する指紋収集ユニット３３に接続される第１接続端子４３と、対応するデータ線４１に接続される第２接続端子４４とを含む。
【００６８】
図５に示すように、制御回路は、３行の制御線４２と、４列のデータ線４１と、３×４個の指紋収集ユニット、すなわち、１２個の指紋収集ユニットとを含むと仮定している。図５のデータは、単なる例示であり、ａやｂという特定の数字はここでは限定されない。
【００６９】
配列基板はまた、Ｋ×ｍ列の画素データ線と、ｎ行の画素制御線とを含む、ということは、技術分野の当業者には知られている。画素データ線と画素制御線とは、ＴＦＴデバイスを介して画素サブユニットに接続されている。配列基板においてＴＦＴを接続するための画素データ線と画素制御線から構成される制御回路は、図４に示したものと類似しており、ここでは詳細に説明しない。
【００７０】
図6は、本発明の実例となる実施形態に係る端末を示すブロック図である。図６に示したように、端末６００は、ＯＬＥＤパネル６１０と、指紋収集制御部６２０と、メモリ６３０と、処理部６４０と、電源部６５０と、オーディオ部６６０と、入出力（Ｉ／Ｏ）インターフェース６７０とを含む。
【００７１】
ＯＬＥＤパネル６１０は、上述の実施形態により提供される図３Ａ及び３Ｂで示されたＯＬＥＤパネルのどれか１つである。
【００７２】
指紋収集制御部６２０は、ＯＬＥＤパネル６１０において制御回路に接続されている。指紋収集制御部６２０は、制御回路の各データ線に接続されており、さらに、制御回路の各制御線に接続されている。制御回路は、ＯＬＥＤパネル６１０の指紋収集ユニットの配列に接続されている。
【００７３】
メモリ６３０は、装置６００に対する操作をサポートするため、様々なタイプのデータを記憶するように構成されている。そのようなデータの例は、装置６００上で操作される何らかのアプリケーションや方法のための命令、連絡データ、電話帳データ、メッセージ、画像、動画などを含む。メモリ６３０は、なんらかのタイプの揮発性又は不揮発性の記憶装置、又は、それらの組合せ、例えば、静的ランダムアクセスメモリ（ＲＡＭ）、電気的に消去可能かつプログラム可能な読み出し専用メモリ（ＥＥＰＲＯＭ）、消去可能かつプログラム可能な読み出し専用メモリ（ＥＰＲＯＭ）、プログラム可能な読み出し専用メモリ（ＰＲＯＭ）、読み出し専用メモリ（ＲＯＭ）、磁気メモリ、フラッシュメモリ、磁気又は光学ディスクを用いて実装される。
【００７４】
処理部６４０は、典型的には、装置６００の全体の操作、例えば、ディスプレイ、電話呼び出し、データ通信、カメラ操作、及び、記録操作に関連した操作を制御する。処理部６４０は、１つ以上のプロセッサを含み、上述した方法におけるステップの全て又は一部を遂行するための命令を実行する。さらに、処理部６４０は、処理部６４０と他の構成部との間の相互作用を容易にする１つ以上のモジュールを含む。
【００７５】
電源部６５０は、端末６００の様々な構成部に電力を供給する。電源部６５０は、電源管理システム、１つ以上の電源、及び、装置６００における電力の発生、管理、分配に関連するその他の構成部を含んでいてもよい。
【００７６】
オーディオ部６６０は、音声信号を出力及び／又は入力するよう構成されている。例えば、オーディオ部６６０は、端末６００が、例えば、電話モード、記録モード、及び、音声認識モードのような操作モードにあるとき、外部の音声信号を受信するように構成されたマイク（ＭＩＣ）を含む。受信した音声信号は、さらにメモリ６３０に記憶されてもよい。ある実施形態では、オーディオ部６６０は、さらに音声信号を出力するためのスピーカーを含む。
【００７７】
Ｉ／Ｏインターフェース６７０は、処理部６４０、及び、例えば、キーボード、クリックホイール、ボタンなどのような周辺インターフェースモジュールに対して、インターフェースを提供する。ボタンは、ホームボタン、ボリュームボタン、開始ボタン、ロックボタンを含んでもよいが、これらに限定されるものではない。
【００７８】
図７は、本発明の実例となる実施形態に係る認識制御方法を示すフローチャートである。本実施形態においては、図６に示した端末内部の指紋収集制御部において用いられる認識制御方法を例にとる。この方法は以下のステップを含む。
【００７９】
ステップ７０１において、ｉ行（ｉ番目の行）の指紋収集ユニットを制御してデータ線と通信するために、ｉ行の制御線に許可信号を送信する。
【００８０】
許可信号は、ｉ行の指紋収集ユニットを制御してデータ線と通信するように構成されている。指紋収集制御部は、制御回路のi行の制御線に許可信号を送信する。許可信号により、ｉ行の指紋収集ユニットは、制御回路のデータ線と通信する。
【００８１】
図５に示したように、例えば、制御回路は、４列のデータ線４１と、３行の制御線４２と、各行の４個の指紋収集ユニット３３（すなわち、合計１２個の指紋収集ユニット３３）とを含むということを仮定する。指紋収集制御部が第１行の制御線に許可信号を送信すると、第１行の４個のスイッチ４５は全てオンの状態となり、第１行の４個の指紋収集ユニット３３は、対応するデータ線４１と通信する。
【００８２】
ステップ７０２において、ｉ行の指紋収集ユニットにより収集された指紋信号がデータ線を介して得られる。
【００８３】
指紋収集制御部は、データ線を介してｉ行の指紋収集ユニットにより収集された指紋信号を得る。指紋収集ユニットにより収集された後、指紋信号は、データ線との通信により指紋収集制御部へ送信される。
【００８４】
図５に示したように、例えば、制御回路は、４列のデータ線４１と、３行の制御線４２と、各行の４個の指紋収集ユニット３３（すなわち、合計１２個の指紋収集ユニット）とを含むということを仮定する。第１行の４個の指紋収集ユニット３３がデータ線４１と通信した後、指紋収集制御部は、４列のデータ線４１を介して、４個の指紋収集ユニット３３により収集された指紋信号を得る。
【００８５】
指紋収集制御部により得られた指紋信号は、アナログ信号である。アナログ信号は、アナログデジタル変換器によりデジタル信号に変換され、デジタル信号はメモリに記憶される。
【００８６】
ステップ７０３において、ｉがｂより小さい場合、ｉ＝ｉ＋１に設定し、許可信号がｉ行の制御線へ再送される。
【００８７】
ｉは制御線の行番号を表し、ｂは行の合計数を表す。ｉがｂより小さい場合、ｉ＝ｉ＋１に設定し、指紋収集制御部は、ｉ＋１行の制御線へ許可信号を送信する。ｉ＝ｂの場合、ステップ７０４が実行される。
【００８８】
図４に示したように、例えば、制御回路は、８行の制御線を含むと仮定する。指紋収集制御部が、所定の期間の間に、第３行の制御線へ許可信号を送信する場合、すなわちｉ＝３＜８の場合、ｉ＝４に設定し、許可信号が第８行の制御線へ送信されるまで、許可信号は、再び第４行の制御線へ送信される。すなわち、指紋収集制御部は、所定の時間間隔で、１行ずつ、制御線へ許可信号を送信する。
【００８９】
ステップ７０４において、ｉがｂに等しい場合、ｉ＝１に設定し、許可信号は、ｉ行の制御線へ再送される。
【００９０】
ｉがｂに等しい場合、ｉ＝１として、指紋収集制御部は、第１行の制御線へ許可信号を送信する。すなわち、指紋収集制御部が全ての行の制御線へ許可信号を送信した後、許可信号は、再び第１行から制御線へ送信される。
【００９１】
ステップ７０４を完了した後、ステップ７０１が再び実行される。すなわち、ステップ７０１から７０４は循環して実行される。ｉが初期値の１である場合、現在のフレームに対応する指紋信号を収集するため、許可信号は、１行ずつ最初の行から最後の行までの制御線へ送信される。その後、次のフレームに対応する指紋信号を収集するため、許可信号が１行ずつ最初の行から最後の行までの制御線へ送信される、ということが繰り返される。
【００９２】
とりわけ、本発明の実施形態により与えられる認識制御方法を用いると、指紋収集制御部は、１行ずつ、制御回路の制御線へ許可信号を送信し、その結果、制御回路の指紋収集ユニットは、データ線と通信し、オンの状態で制御線を介して指紋信号を得て、指紋信号を処理する。そして、指紋認識機能をＯＬＥＤパネルの中へ統合することとなり、その結果、単にＯＬＥＤパネルを提供されているとしても、端末のフロントパネルは、同時に表示機能と指紋認識機能を有し、それによって、端末における全体の一貫性及び美観を高める。
【００９３】
現在、指紋は、一般的には、主に静電容量的、超音波的、又は、光学的方法により認識される。指紋が静電容量的方法により認識される場合、指紋は、指の平らでない表面の凹凸の点から接触面（電極）への様々な距離の結果となる静電容量の様々な値から構成される像を収集することにより得られる。ＯＬＥＤパネルが画素サブユニットの内容を表示する時、指紋を収集するためのコンデンサとの干渉が生じるので、静電容量的方法において指紋を認識する時に信号間の干渉を避けるために、内容を表示する間の間隔で指紋信号を収集することが要求される。
【００９４】
静電容量的方法により指紋が認識される場合、図７で示した代替的な実施形態に基いて、ステップ７０１は、図８に示した以下のステップを含む。
【００９５】
ステップ７０１ａにおいて、許可信号は、所定の時間間隔で、ｉ行の制御線へ送信される。
【００９６】
代替的に、所定の時間間隔は、３つの以下のもののうちどれか１つを含む。
【００９７】
１．ＯＬＥＤパネルがi番目のフレームの表示内容を表示するためにリフレッシュする時の第１時刻と、ＯＬＥＤパネルがi＋１番目のフレームの表示内容を表示するためにリフレッシュする時の第２時刻との間の時間間隔。ここで、ｉは正整数である。
【００９８】
ＯＬＥＤパネルによって、i番目のフレームの表示内容を表示するためにリフレッシュする後で、i＋１番目のフレームの表示内容を表示するためにリフレッシュする前に、休息期間、すなわち、時間間隔が存在する。それゆえ、パネルの指紋認識機能を達成するために、指紋収集ユニットは、その時間間隔で指紋信号を収集する。
【００９９】
２．ＯＬＥＤパネルがｉ行の表示内容を表示するためにリフレッシュする時の第３時刻と、ＯＬＥＤパネルがi＋１行の表示内容を表示するためにリフレッシュする時の第４時刻との間の時間間隔。ここで、ｉは正整数である。
【０１００】
ＯＬＥＤパネルによって、i行の表示内容を表示するためにリフレッシュする後で、i＋１行の表示内容を表示するためにリフレッシュする前に、休息期間、すなわち、時間間隔が存在する。それゆえ、パネルの指紋認識機能を達成するために、指紋収集ユニットは、その時間間隔で指紋信号を収集する。
【０１０１】
３．ＯＬＥＤパネルがｉ番目のグループの表示内容を表示するためにリフレッシュする時の第５時刻と、ＯＬＥＤパネルがi＋１番目のグループの表示内容を表示するためにリフレッシュする時の第６時刻との間の時間間隔。ここで、各グループの表示内容は連続するＬ行の表示内容を含み、ｉは正整数であり、Ｌは所定の合計の行数である。
【０１０２】
Ｌ行の表示内容は１つのグループを構成する、すなわち、ｉ番目のグループの表示内容は連続するＬ行の表示内容を含み、ｉ＋１番目のグループの表示内容も同様に連続するＬ行の表示内容を含む、ということは予め決められている。ＯＬＥＤパネルによって、i番目のグループの表示内容を表示するためにリフレッシュする後で、i＋１番目のグループの表示内容を表示するためにリフレッシュする前に、休息期間、すなわち、時間間隔が存在する。指紋収集ユニットは、その時間間隔で指紋信号を収集する。
【０１０３】
とりわけ、本発明の実施形態により提供される認識制御方法によると、許可信号が所定の時間間隔で制御線へ送信されるので、ＯＬＥＤが画素サブユニットの内容を表示する際に、指紋を収集するためのコンデンサとの干渉が生じることを避けることとなり、それによって、指紋収集機能と表示機能がお互い干渉するのを防止し、したがって、指紋信号を正確に収集し、指紋認識機能を達成できる。
【０１０４】
発明の他の実施形態は、ここで開示された仕様や実例を考慮すれば、技術分野の当業者には明らかであろう。本出願は、本発明の一般原理に従う発明のいかなる変形例、使用、又は、適用をも伝えることを意図しており、技術分野において既知の又は慣例の実践の範囲内にある本発明からの逸脱をも含む。仕様と実例は、例示としてのみ考慮されることを意図しており、発明の真の範囲と精神は、以下のクレームにより示されている。
【０１０５】
本発明は、上述し添付図面で説明したそのとおりの構成に限定されるものではなく、その範囲から離れることなく様々な修正および変更がなされることが可能であることが理解されるであろう。本発明の範囲は、添付の特許請求の範囲によってのみ限定される、ということが意図されている。
【符号の説明】
【０１０６】
１１０・・・・・配列基板
１２０・・・・・ＯＬＥＤ層
１３０・・・・・ガラス基板
１４０・・・・・偏光板
２０・・・・・・画素サブユニット
２２・・・・・・ＴＦＴ領域
２４・・・・・・非ＴＦＴ領域
３１０Ａ・・・・配列基板
３２０Ａ・・・・ＯＬＥＤ層
３３０Ａ・・・・指紋収集ユニットの配列
３１０Ｂ・・・・配列基板
３２０Ｂ・・・・ＯＬＥＤ層
３３０Ｂ・・・・指紋収集ユニットの配列
３４０Ｂ・・・・ガラス基板
３５０Ｂ・・・・偏光板
３１・・・・・・画素ユニット（画素サブユニット）
３２・・・・・・ＴＦＴ領域
３３・・・・・・指紋収集ユニット
３４・・・・・・非ＴＦＴ領域
３５・・・・・・第１の画素サブユニット
３６・・・・・・第２の画素サブユニット
３７・・・・・・第３の画素サブユニット
４１・・・・・・データ線
４２・・・・・・制御線
４３・・・・・・第１接続端子
４４・・・・・・第２接続端子
４５・・・・・・スイッチ
４６・・・・・・制御端子
６００・・・・・端末、装置
６１０・・・・・ＯＬＥＤパネル
６２０・・・・・紋収集制御部
６３０・・・・・メモリ
６４０・・・・・処理部
６５０・・・・・電源部
６６０・・・・・オーディオ部
６７０・・・・・入出力（Ｉ／Ｏ）インターフェース
【図１】
0006533785.tif 000002
【図２】
0006533785.tif 000003
【図３Ａ】
0006533785.tif 000004
【図３Ｂ】
0006533785.tif 000005
【図４Ａ】
0006533785.tif 000006
【図４Ｂ】
0006533785.tif 000007
【図４Ｃ】
0006533785.tif 000008
【図４Ｄ】
0006533785.tif 000009
【図５】
0006533785.tif 000010
【図６】
0006533785.tif 000011
【図７】
0006533785.tif 000012
【図８】
0006533785.tif 000013